(57)【特許請求の範囲】
【請求項１】
紙葉状の媒体を所定の鑑別部により鑑別する本体に形成された空間内に装着され、又は当該空間内に装着された状態から所定の取出方向へ移動されることにより当該空間内から取り出される筐体と、
上記筐体内に形成され、当該筐体が上記本体の上記空間に装着された際に、上記鑑別部により正当であると鑑別されて受け渡される媒体を収納する回収庫と、
上記筐体内に形成され、当該筐体が上記本体の上記空間に装着された際に、所定の鑑別部により正当でないと鑑別されて受け渡される媒体を収納するリジェクト庫と、
上記筐体に設けられ、閉塞時には上記回収庫内及び上記リジェクト庫内に上記媒体をそれぞれ止め、開放時には上記リジェクト庫内からの上記媒体の取出を許容する外扉と、
上記筐体に設けられ、閉塞時には上記回収庫内に上記媒体を止める一方、開放時には上記回収庫内からの上記媒体の取出を許容し、少なくとも上記外扉が閉塞状態から開放された時点では閉塞されている内扉と、
所定の被係合体と係合することにより、上記筐体に対し上記内扉を閉塞状態に維持する係止体と
を具えることを特徴とする媒体収納装置。
【請求項２】
上記係止体は、
上記筐体が上記本体の上記空間内に装着された際に上記本体の所定箇所へ向かう方向である押付方向へ押し付けられた場合に当該所定箇所に当接される当接部と、上記被係合体と係合する係合部とを有し、当該当接部及び当該係合部を互いに連動させることにより、上記係合部と上記被係合体との係合を解除する際に、上記当接部を上記押付方向へ押し付ける
ことを特徴とする請求項１に記載の媒体収納装置。
【請求項３】
上記押付方向は、
上記取出方向又はその反対方向のいずれとも異なる方向である
ことを特徴とする請求項２に記載の媒体収納装置。
【請求項４】
上記内扉は、
上記筐体に対し所定の回動軸を中心に回動することにより上記回収庫を開放又は閉塞し、
上記係止体は、
上記内扉に対し、当該内扉が開閉時に回動する方向と交差する方向に移動又は回動することにより、上記係合部を上記被係合体に係合させ又はその係合を解除させる
ことを特徴とする請求項３に記載の媒体収納装置。
【請求項５】
上記係止体は、
所定の付勢部により上記係合部を上記被係合体に係合させる方向に付勢されている
ことを特徴とする請求項３に記載の媒体収納装置。
【請求項６】
上記外扉は、
閉塞時に上記係止体に対する係合又は係合解除の操作を防止する
ことを特徴とする請求項１に記載の媒体収納装置。
【請求項７】
上記外扉は、
所定の外扉鍵により施錠されると閉塞状態を維持する一方、上記外扉鍵により解錠されると開放を許容する外扉錠を具える
ことを特徴とする請求項６に記載の媒体収納装置。
【請求項８】
紙葉状の媒体を投入させ又は当該媒体を排出する入出部と、当該媒体を搬送する搬送部と、当該媒体を鑑別する鑑別部とを有する本体と、
上記本体内に形成された空間と、
上記空間内に装着され、又は当該空間内に装着された状態から所定の取出方向へ移動されることにより当該空間内から取り出される筐体と、
上記筐体内に形成され、当該筐体が上記本体の上記空間に装着された際に、上記鑑別部により正当であると鑑別されて受け渡される媒体を収納する回収庫と、
上記筐体内に形成され、当該筐体が上記本体の上記空間に装着された際に、所定の鑑別部により正当でないと鑑別されて受け渡される媒体を収納するリジェクト庫と、
上記筐体に設けられ、閉塞時には上記回収庫内及び上記リジェクト庫内に上記媒体をそれぞれ止め、開放時には上記リジェクト庫内からの上記媒体の取出を許容する外扉と、
上記筐体に設けられ、閉塞時には上記回収庫内に上記媒体を止める一方、開放時には上記回収庫内からの上記媒体の取出を許容し、少なくとも上記外扉が閉塞状態から開放された時点では閉塞されている内扉と、
所定の被係合体と係合することにより、上記筐体に対し上記内扉を閉塞状態に維持する係止体と
を具えることを特徴とする媒体入出装置。
【請求項９】
上記外扉は、
上記筐体が上記空間内に装着された状態で上記本体と干渉せずに開放又は閉塞できる
ことを特徴とする請求項８に記載の媒体入出装置。
【発明の詳細な説明】
【技術分野】
【０００１】
本発明は媒体収納装置及び媒体入出装置に関し、例えばスーパーマーケットやコンビニエンスストア等のような小売店舗の精算所において使用されるレジ釣銭機に適用して好適なものである。
【背景技術】
【０００２】
近年、レジ釣銭機においては、ＰＯＳ（Point Of Sales）システム等に接続されたレジスタ部に、媒体としての紙幣や硬貨の入出金処理を行う釣銭処理部が組み合わされたものが普及しつつある。
【０００３】
この釣銭処理部のうち紙幣を処理する紙幣処理部３１２は、例えば図１３に示すように、紙幣の投入及び排出を行う紙幣入出金部２２と、紙幣を搬送する搬送部２３と、紙幣の種類や真偽等を鑑別する紙幣鑑別部２４と、紙幣を収納し蓄積する紙幣収納庫２５とを有するものがある。さらにこの紙幣処理部は、鑑別部において損傷等があると鑑別されたリジェクト紙幣を収納するリジェクト庫３２６と、収納庫の紙幣を回収するための回収庫３２７とを有している。
【０００４】
ここで紙幣入出金部２２、リジェクト庫３２６及び回収庫３２７は、いずれもレジ係員等が容易に操作できるよう、このレジ係員等が対峙する前面への設置が要求される。その一方で紙幣処理部３１２は、設置場所の制約等により、小型化、特に高さ方向の短縮化が要求されるものの、これらを縦方向に積み重ねるよう配置した場合には高さが増加してしまい、また高さを抑制しようとすると紙幣の収納可能枚数が減少してしまう。
【０００５】
そこでレジ釣銭機のなかには、紙幣処理部において、リジェクト庫を省略すると共に回収庫内に可動仕切板を設け、当該可動仕切板により仕切られた一方をリジェクト庫として用いることにより、収容可能枚数を維持しつつ小型化を図ったものが提案されている。（例えば、特許文献１参照）。
【先行技術文献】
【特許文献】
【０００６】
【特許文献１】特開２００７−３４４８２公報（第２図）
【発明の概要】
【発明が解決しようとする課題】
【０００７】
ところでレジ釣銭機では、予め収納されている釣銭用の紙幣の枚数や、随時投入され若しくは排出した紙幣の枚数を正確に計数しており、回収庫内の紙幣も含めて厳密に管理することにより、内部に保有する紙幣の有高を保証できるようになされている。
【０００８】
一方レジ釣銭機は、鑑別部において損傷等があると鑑別されたリジェクト紙幣については、釣銭として利用できないことから、有高に含めずリジェクト庫に搬送する。このリジェクト紙幣は、レジ釣銭機の運用上、比較的高い頻度で取り出すことになる。
【０００９】
しかしながら上述した構成のレジ釣銭機では、リジェクト紙幣を取り出す際、回収庫の紙幣（以下これを回収紙幣と呼ぶ）についても取り出すことが可能となってしまう。このときレジ釣銭機では、有高を保証できなくなってしまうため、回収紙幣も同時に取り出す必要があり、運用に無用な手間や負担をかけることとなってしまう。
【００１０】
すなわちレジ釣銭機では、リジェクト紙幣及び回収紙幣の取出、すなわちアクセスに関する制約が互いに相違するにもかかわらず、いずれの紙幣も同様に取り出すことができてしまう、という問題があった。
【００１１】
本発明は以上の点を考慮してなされたもので、媒体に課された制約に応じて取出を確実に抑制できる媒体収納装置及び媒体取引装置を提案しようとするものである。
【課題を解決するための手段】
【００１２】
かかる課題を解決するため本発明の媒体収納装置においては、紙葉状の媒体を所定の鑑別部により鑑別する本体に形成された空間内に装着され、又は当該空間内に装着された状態から所定の取出方向へ移動されることにより当該空間内から取り出される筐体と、筐体内に形成され、当該筐体が本体の空間に装着された際に、鑑別部により正当であると鑑別されて受け渡される媒体を収納する回収庫と、筐体内に形成され、当該筐体が本体の空間に装着された際に、所定の鑑別部により正当でないと鑑別されて受け渡される媒体を収納するリジェクト庫と、筐体に設けられ、閉塞時には回収庫内及びリジェクト庫内に媒体をそれぞれ止め、開放時にはリジェクト庫内からの媒体の取出を許容する外扉と、筐体に設けられ、閉塞時には回収庫内に媒体を止める一方、開放時には回収庫内からの媒体の取出を許容し、少なくとも外扉が閉塞状態から開放された時点では閉塞されている内扉と、所定の被係合体と係合することにより、筐体に対し内扉を閉塞状態に維持する係止体とを設けるようにした。
【００１３】
これにより本発明は、外扉が閉塞されたときには回収庫及びリジェクト庫の双方について媒体の取出を禁止する一方、外扉が開放されたときには内扉を閉塞状態に保ったままとすることによりリジェクト庫の媒体のみ取出を可能とすることができる。
【００１４】
また本発明の媒体入出装置においては、紙葉状の媒体を投入させ又は当該媒体を排出する入出部と、当該媒体を搬送する搬送部と、当該媒体を鑑別する鑑別部とを有する本体と、本体内に形成された空間と、空間内に装着され、又は当該空間内に装着された状態から所定の取出方向へ移動されることにより当該空間内から取り出される筐体と、筐体内に形成され、当該筐体が本体の空間に装着された際に、鑑別部により正当であると鑑別されて受け渡される媒体を収納する回収庫と、筐体内に形成され、当該筐体が本体の空間に装着された際に、所定の鑑別部により正当でないと鑑別されて受け渡される媒体を収納するリジェクト庫と、筐体に設けられ、閉塞時には回収庫内及びリジェクト庫内に媒体をそれぞれ止め、開放時にはリジェクト庫内からの媒体の取出を許容する外扉と、筐体に設けられ、閉塞時には回収庫内に媒体を止める一方、開放時には回収庫内からの媒体の取出を許容し、少なくとも外扉が閉塞状態から開放された時点では閉塞されている内扉と、所定の被係合体と係合することにより、筐体に対し内扉を閉塞状態に維持する係止体とを設けるようにした。
【００１５】
これにより本発明は、外扉が閉塞されたときには回収庫及びリジェクト庫の双方について媒体の取出を禁止する一方、外扉が開放されたときには内扉を閉塞状態に保ったままとすることによりリジェクト庫の媒体のみ取出を可能とすることができる。
【発明の効果】
【００１６】
本発明によれば、外扉が閉塞されたときには回収庫及びリジェクト庫の双方について媒体の取出を禁止する一方、外扉が開放されたときには内扉を閉塞状態に保ったままとすることによりリジェクト庫の媒体のみ取出を可能とすることができる。かくして本発明は、媒体に課された制約に応じて取出を確実に抑制できる媒体収納装置及び媒体取引装置を実現できる。
【図面の簡単な説明】
【００１７】
【図１】レジ釣銭機の全体構成を示す略線的斜視図である。
【図２】紙幣処理部の構成を示す略線図である。
【図３】紙幣カセットの取出を示す略線的斜視図である。
【図４】紙幣カセットの構成を示す略線図である。
【図５】紙幣カセットの装着時における前面扉の開放を示す略線図である。
【図６】第１の実施の形態による内扉の構成（１）を示す略線図である。
【図７】第１の実施の形態による内扉の構成（２）を示す略線図である。
【図８】内扉の開放を示す略線図である。
【図９】第２の実施の形態による内扉の構成（１）を示す略線図である。
【図１０】第２の実施の形態による内扉の構成（２）を示す略線図である。
【図１１】第３の実施の形態による内扉の構成（１）を示す略線図である。
【図１２】第３の実施の形態による内扉の構成（２）を示す略線図である。
【図１３】従来の紙幣処理部の構成を示す略線図である。
【発明を実施するための形態】
【００１８】
以下、発明を実施するための形態（以下実施の形態とする）について、図面を用いて説明する。
【００１９】
［１．第１の実施の形態］
［１−１．レジ釣銭機の構成］
図１に外観を示すように、レジ釣銭機１は、大きく分けて上側のレジスタ部２と、下側の釣銭処理部３とにより構成されている。このレジ釣銭機１は、例えばスーパーマーケットやコンビニエンスストアのような小売店舗の精算所（いわゆるレジ）において、顧客が購入したい商品を精算する際に、レジ係員により操作されるようになされている。
【００２０】
なお以下では、レジ係員が対峙する側面及びその反対面をそれぞれ前面及び後面とし、さらに当該レジ係員から見て左右及び上下を定義して説明する。
【００２１】
レジスタ部２は、内蔵された制御部５によりレジ釣銭機１全体を統括制御するようになされている。またレジスタ部２には、図示しないバーコードリーダが接続されており、商品に付されたバーコードをこのバーコードリーダで読み取ることにより、当該商品を認識するようになされている。
【００２２】
表示操作部６は、液晶ディスプレイ等でなる表示部と、当該液晶ディスプレイに重ねて配置されたタッチパネル等でなる操作部とにより構成されている。
【００２３】
表示操作部６は、認識した商品の名称や金額等を液晶ディスプレイに表示する。また表示操作部６は、表示画面の一部に数字等の入力キーを表示しており、タッチパネル上の入力キーに対応する箇所が押下操作されると、当該入力キーに対応した入力操作を受け付けて制御部５へ送信する。これに応じて制御部５は、商品の数量の増減や金額の修正等の各処理を行うようになされている。
【００２４】
またレジスタ部２には、レシート処理部７が内蔵されている。レシート処理部７は、認識した商品の名称や金額等をレシートに印字し、これをレシート排出口７Ａから排出するようになされている。
【００２５】
一方、釣銭処理部３は、大きく分けて、左側の硬貨処理部１１と、右側の紙幣処理部１２と、前側上部の表示操作部１３とにより構成されている。
【００２６】
表示操作部１３は、所定の表示パネル及び所定の操作ボタンの組み合わせにより構成されている。
【００２７】
表示操作部１３の表示パネルは、硬貨処理部１１及び紙幣処理部１２における稼働状況を表示するようになされており、例えば紙幣処理部１２において釣銭用の紙幣ＢＬが不足していることや、紙幣ＢＬが詰まったこと、或いはその箇所等を表示する。
【００２８】
表示操作部１３の操作ボタンは、レジ係員等による押下操作を介して、例えば紙幣ＢＬの搬送等に関する指示を受け付けるようになされている。
【００２９】
硬貨処理部１１は、レジ係員により硬貨投入口１５から投入された硬貨を硬貨鑑別部（図示せず）により鑑別して内部の硬貨収納庫に収納すると共に、制御部５から指示された硬貨を内部の硬貨収納庫から取り出し、これを硬貨排出口１６から釣銭として排出するようになされている。
【００３０】
また硬貨処理部１１は、硬貨投入口１５から投入された硬貨のうち硬貨鑑別部（図示せず）において金種を鑑別できなかったリジェクト硬貨を硬貨リジェクト口１７から排出するようになされている。
【００３１】
［１−２．紙幣処理部の構成］
紙幣処理部１２は、図２に側面図を示すように、紙幣処理部筐体２０内に、全体を制御する制御部２１、紙幣ＢＬの投入及び排出を行う紙幣入出金部２２、紙幣ＢＬを搬送する搬送部２３、紙幣ＢＬの種類等を鑑別する紙幣鑑別部２４、紙幣ＢＬを収納する紙幣収納庫２５Ａ、２５Ｂ及び２５Ｃ、リジェクト庫２６並びに回収庫２７等により構成されている。
【００３２】
制御部２１は、図示しないＣＰＵ（Central Processing Unit）を中心に構成されており、図示しないＲＯＭやフラッシュメモリ等から所定のプログラムを読み出して実行することにより、紙幣処理部１２を統括制御するようになされている。
【００３３】
紙幣入出金部２２は、紙幣処理部１２の前上部に設けられており、紙幣ＢＬの形状に対応した角形の受け皿状に形成された紙幣トレイ２２Ａを前側へ突出させると共に、回転駆動されるローラや羽根車等を内部に有している。
【００３４】
紙幣入出金部２２は、精算時にレジ係員が顧客から預かった紙幣ＢＬが当該紙幣トレイ２２Ａ上に載置されると、当該紙幣ＢＬを１枚ずつ内部に取り込み、搬送部２３に順次受け渡す。また紙幣入出金部２２は、搬送部２３から釣銭用の紙幣ＢＬが搬送されてくると、紙幣ＢＬを紙幣トレイ２２Ａ上に順次積み重ねるように排出して、レジ係員に取り出させる。
【００３５】
搬送部２３は、各種ローラ、プーリ、ベルト及びブレード等によって構成されており、これらが適宜配置されることにより、主に前後方向に沿った搬送路２３Ｗを形成している。
【００３６】
搬送部２３は、図示しないモータ及びギヤ等を介して駆動力をローラやベルトへ伝達することにより、紙幣ＢＬの短辺方向を進行方向として搬送路２３Ｗに沿って搬送し、またブレードを適宜回動させることにより、当該紙幣ＢＬの搬送先を切り替えるようになされている。
【００３７】
紙幣鑑別部２４は、光学センサや磁気センサ等を有しており、紙幣ＢＬの金種や真偽、或いは損傷の有無や程度等を鑑別し、その鑑別結果を制御部２１へ送出する。
【００３８】
これに応じて制御部２１は、当該紙幣ＢＬが正当な紙幣ＢＬであれば紙幣収納庫２５へ搬送させ、当該紙幣ＢＬが正当でない紙幣ＢＬであれば紙幣入出金部２２へ戻し、当該紙幣ＢＬが損傷していればリジェクト庫２６へ搬送させるようになされている（詳しくは後述する）。
【００３９】
紙幣収納庫２５Ａ、２５Ｂ及び２５Ｃ（以下まとめて紙幣収納庫２５と呼ぶ）は、内部に空間を形成しており、搬送部２３により搬送されてくる紙幣ＢＬを空間内に順次積み重ねて収納するようになされている。因みに各紙幣収納庫２５Ａ、２５Ｂ及び２５Ｃは、紙幣ＢＬが金種別に搬送されることにより、当該紙幣ＢＬを金種別に収納するようになされている。
【００４０】
また紙幣収納庫２５は、羽根車やローラ等を適宜回転させることにより、収納されている紙幣ＢＬを１枚ずつ排出し、搬送部２３へ受け渡すようになされている。
【００４１】
因みに紙幣処理部１２は、いわゆるリサイクル型となっており、運用中に入金された紙幣ＢＬを紙幣収納庫２５に収納し、その後当該紙幣ＢＬを釣銭として出金するようになされている。さらに紙幣収納庫２５は、紙幣処理部筐体２０に固定されており、取り外すことはできず、運用中には内部に収納された紙幣ＢＬを容易に取り出すことができないようになされている。
【００４２】
リジェクト庫２６は、紙幣処理部１２の前下部、すなわち紙幣入出金部２２の下方に設けられており、内部に数十枚程度の紙幣ＢＬを集積できるような空間を形成している。
【００４３】
紙幣鑑別部２４において損傷していると鑑別された紙幣ＢＬ（以下これをリジェクト紙幣ＢＬＲと呼ぶ）は、搬送部２３によりリジェクト庫２６へ搬送される。これに応じてリジェクト庫２６は、搬送されてきたリジェクト紙幣ＢＬＲを順次集積して収納するようになされている。
【００４４】
回収庫２７は、紙幣処理部１２の前下部におけるリジェクト庫２６の下方に設けられており、内部に数百枚程度の紙幣ＢＬを集積できるような空間を形成している。
【００４５】
釣銭処理部３では、レジ係員等によって表示操作部１３の操作ボタンが押下操作されることにより、紙幣収納庫２５に集積された紙幣ＢＬを搬送部２３により回収庫２７へ搬送させる。これに応じて回収庫２７は、順次搬送されてくる紙幣ＢＬ（以下これを回収紙幣ＢＬＣと呼ぶ）を順次集積して収納するようになされている。
【００４６】
また釣銭処理部３では、レジ係員等によって釣銭用の紙幣ＢＬが回収庫２７に収納された上で表示操作部１３の操作ボタンが押下操作されると、回収庫２７から紙幣ＢＬを１枚ずつ排出し、これを搬送部２３により紙幣収納庫２５へ順次搬送するようになされている。
【００４７】
ところでリジェクト庫２６及び回収庫２７は、紙幣処理部筐体２０に対し着脱自在に構成された紙幣カセット２８内に設けられている。
【００４８】
紙幣カセット２８は、全体として直方体状に構成されており、その内部における上側をリジェクト庫２６とし、その下側を回収庫２７としている。
【００４９】
紙幣処理部筐体２０における前下部、すなわち紙幣入出金部２２の下方には、紙幣カセット２８よりも僅かに大きい直方体状の空間２０Ａが形成されている。この空間２０Ａは、上下及び左右並びに後方が壁面により閉塞される一方、前方が開放されている。
【００５０】
紙幣カセット２８は、レジ係員等の操作により、紙幣処理部筐体２０の前方で位置を合わせて後方向へ移動されることにより、空間２０Ａ内に装着されるようになされている（図１、図２）。この装着状態において紙幣カセット２８は、紙幣処理部筐体２０内の搬送部２３との間で紙幣ＢＬを受け渡すことができる。
【００５１】
また紙幣カセット２８は、レジ係員等の操作により、紙幣処理部筐体２０に対し取出方向としての前方向へ移動されると、図３に示すように当該空間２０Ａ内から取り出されるようになされている。すなわち紙幣処理部１２では、紙幣処理部筐体２０から紙幣カセット２８を取り出すことにより、リジェクト庫２６及び回収庫２７を一体に取り出し得るようになされている。
【００５２】
紙幣処理部筐体２０の前面における空間２０Ａの左側には、カセット取出鍵２９Ｋにより施錠又は解錠し得るカセット取出錠２９が設けられている。
【００５３】
カセット取出錠２９は、紙幣カセット２８が紙幣処理部筐体２０の空間２０Ａ内に装着された状態でカセット取出鍵２９Ｋを用いて施錠されることにより、当該紙幣カセット２８の所定箇所と係合し、当該空間２０Ａ内からの取出を禁止する。
【００５４】
一方カセット取出錠２９は、紙幣カセット２８が紙幣処理部筐体２０の空間２０Ａ内に装着され施錠された状態でカセット取出鍵２９Ｋを用いて解錠されることにより、当該紙幣カセット２８の所定箇所との係合を解除し、当該空間２０Ａ内からの取出を可能とする。
【００５５】
このように紙幣処理部１２では、リジェクト庫２６及び回収庫２７が設けられた紙幣カセット２８を紙幣処理部筐体２０に装着し、また当該紙幣処理部筐体２０から取り出し得るようになされている。
【００５６】
［１−３．紙幣カセットの構成］
紙幣カセット２８は、上述したように全体として直方体状に構成されており、また図４に示すように、上下左右及び後方を塞ぐ筐体３０の内部に空間３１を形成している。
【００５７】
筐体３０は、上下左右及び後方の各側板が比較的強固に構成されており、空間３１内に紙幣ＢＬが収納された際に、容易に破壊されることなく紙幣ＢＬを保護し得るようになされている。
【００５８】
筐体３０の後方上寄りの箇所には、紙幣ＢＬが通過できる孔や所定のローラ等でなる搬送部３０Ａが設けられている。搬送部３０Ａは、搬送部２３（図２）から受け渡された紙幣ＢＬを前方へ進行させ、空間３１内へ放出する。
【００５９】
空間３１は、仕切板３２により上下に仕切られ、当該仕切板３２の上側がリジェクト庫２６となっており、また当該仕切板３２の下側が回収庫２７となっている。
【００６０】
仕切板３２は、上下に薄い板状に形成されており、その後側部分が上方へ向けて折り曲げられている。また仕切板３２は、前側に設けられた回動軸３２Ａを中心に、後端を上下に変位させるように回動し得るようになされている。
【００６１】
この仕切板３２は、上方へ回動されると、図４に実線で示したように、その後端部分を搬送部３０Ａよりも上方に位置させる。このとき紙幣カセット２８は、搬送部３０Ａにより搬送される紙幣ＢＬを仕切板３２よりも下側へ放出することにより、当該紙幣ＢＬを回収庫２７に集積する。
【００６２】
また仕切板３２は、下方へ回動されると、図４に破線で示したように、その後端部分を搬送部３０Ａよりも下方に位置させる。このとき紙幣カセット２８は、搬送部３０Ａにより搬送される紙幣ＢＬを仕切板３２よりも上側へ放出することにより、当該紙幣ＢＬをリジェクト庫２６に集積する。
【００６３】
紙幣カセット２８の前面には、空間３１を閉塞する前面扉３３が設けられている。前面扉３３は、全体として紙幣カセット２８の前面を全般的に覆うような、前後方向に比較的薄い板状に形成され、且つ比較的強固に構成されている。
【００６４】
前面扉３３は、その後下方に左右方向に貫通する回動孔３３Ａが形成されている。一方、筐体３０の下側板における前方上側には、左右方向に貫通する回動孔３０Ｂが形成されている。そして回動孔３３Ａ及び回動孔３０Ｂには、細長い円柱状の軸３４が共に挿通されている。かかる構成により前面扉３３は、筐体３０に対し、軸３４を回動中心として回動することができる。
【００６５】
また前面扉３３の左右中央における上方には、外扉鍵としての前面扉開閉鍵３５Ｋにより施錠又は解錠し得る前面扉開閉錠３５が設けられている。
【００６６】
前面扉開閉錠３５は、前面扉３３が筐体３０及び空間３１の前方を塞いだ状態（以下これを閉塞状態と呼ぶ）において前面扉開閉鍵３５Ｋを用いて施錠されることにより、筐体３０の上側板に設けられた所定の係合箇所と係合し、前面扉３３の回動を妨げ閉塞状態に維持する。
【００６７】
また前面扉開閉錠３５は、前面扉３３が閉塞状態にあり且つ施錠された状態において前面扉開閉鍵３５Ｋを用いて解錠されることにより、筐体３０の上側板における係合箇所との係合を解除し、前面扉３３の回動を可能とする。
【００６８】
前面扉３３は、空間３１の前方を塞ぐ閉塞状態（図３及び図４）であり、且つ前面扉開閉錠３５が解錠された状態において、その上端を前方へ倒すよう回動されることにより、図５及び図６に示すように、筐体３０の前面を開放する（以下これを開放状態と呼ぶ）。
【００６９】
因みに前面扉３３は、紙幣カセット２８が紙幣処理部筐体２０の空間２０Ａ内に装着された状態及び当該空間２０Ａ内から取り出された状態のいずれにおいても、前面扉開閉錠３５が解錠されていれば、他の部分と干渉することなく開放することができる。
【００７０】
このときリジェクト庫２６は、前面扉３３が開放されると、前方から内部へアクセスすること、すなわちレジ係員等の指先でリジェクト紙幣ＢＬＲを把持等して取り出すことが可能となる。
【００７１】
一方、回収庫２７は、図５及び図６に示したように、前面扉３３のみが開放された段階では、内扉３６により前方を閉塞された状態となる。
【００７２】
内扉３６は、前面扉３３と同様に前後方向に比較的薄い板状でなるものの、前面扉３３よりも上下方向に短く、仕切板３２の近傍を上端とするように構成されている。また内扉３６は、左右方向の長さが前面扉３３よりも短くなされており、筐体３０の左側板に近接するように、すなわち当該筐体３０の右側板から所定の隙間を空けるように設けられている。
【００７３】
さらに内扉３６は、その前下方に左右方向に貫通する回動孔３６Ａが形成されており、この回動孔３６Ａに回動孔３０Ｂ及び３３Ａと共に軸３４が挿通されている。
【００７４】
かかる構成により内扉３６は、前面扉３３と筐体３０との間、すなわち当該前面扉３３よりも内側において、当該前面扉３３と同様に軸３４を回動中心として回動することができる。その一方で内扉３６は、筐体３０の前方を塞ぐ閉塞状態では、前面扉３３と異なり、仕切板３２よりも下方の回収庫２７のみを閉塞し、リジェクト庫２６については開放した状態を保つようになされている。
【００７５】
因みに紙幣カセット２８では、前面扉３３及び内扉３６の双方が筐体３０の前方を塞ぐ閉塞状態にある場合、図４に示したように、前面扉３３の後面と内扉３６の前面とを極めて近接させ、或いは当接させている。これにより紙幣カセット２８では、前面扉３３が閉塞状態にある場合、必然的に内扉３６も閉塞状態となるため、リジェクト紙幣ＢＬＲと回収紙幣ＢＬＣとの混在を防止することができる。
【００７６】
内扉３６の前面には、左右に移動ガイド４１及び４２がそれぞれ設けられている。移動ガイド４１及び４２は、いずれも全体として左右方向に長い板状部材を中心に構成され、その上下両辺から後方へ向けて前後方向に短い側板がそれぞれ延設されており、当該側板の後端において内扉３６の前面に固定されている。
【００７７】
また移動ガイド４１及び４２は、左右に所定の間隔を空け、上下方向の位置を互いに揃えるように配置されている。すなわち移動ガイド４１及び４２は、それぞれ内扉３６の前面において断面が長方形状の移動孔を左右方向に貫通させ、且つ双方の移動孔を互いに左右方向に連通させている。
【００７８】
移動ガイド４１及び４２の移動孔には、閂４３が挿通されている。閂４３は、全体として左右方向に長い直方体状に構成されると共に、左右の中央近傍における下側部分がえぐられたような形状となっている。
【００７９】
また閂４３は、左右方向の断面形状が移動ガイド４１及び４２により形成された移動孔よりも一回り小さくなっている。すなわち閂４３は、当該移動ガイド４１及び４２の制限により、内扉３６に対し主に左右方向に移動できるようになされている。
【００８０】
さらに閂４３は、左右方向の長さが内扉３６よりも長くなっている。このため閂４３は、左端部４３Ａを内扉３６の左端近傍に位置させた場合、右端部４３Ｂを内扉３６の右端よりも外方へ突出させる（図６）。
【００８１】
また閂４３は、図７に示すように、右端部４３Ｂを内扉３６の右端近傍に位置させた場合、左端部４３Ａを内扉３６の左端よりも外方へ突出させる。
【００８２】
因みに閂４３は、移動ガイド４１及び４２により左右方向への移動範囲が制限されており、最も右方向へ移動された場合、左端部４３Ａを内扉３６の左端から僅かに突出させた状態（図６）となり、最も左方向へ移動された場合、右端部４３Ｂを内扉３６の右端よりも僅かに右側に位置させた状態（図７）となる。
【００８３】
また閂４３と内扉３６との間には、コイルばねでなるスプリング４４が設けられている。スプリング４４は、自然状態から伸長された状態で、一端が閂４３に取り付けられると共に他端が内扉３６に取り付けられており、内扉３６に対し閂４３を右方向へ付勢している。
【００８４】
すなわち閂４３は、スプリング４４の付勢力により、外部から力が加えられていないときには最も右側に位置し（図６）、左方向への外力が加えられている間のみ一時的に左側に移動するものの（図７）、この外力が加えられなくなると右方向へ移動して再び最も右側に位置する（図６）。
【００８５】
一方、筐体３０の右側板における前方内側には、左方向（すなわち内側）へ向けて、爪部３０Ｃが立設されている。爪部３０Ｃは、左右の長さ、すなわち筐体３０の右側板からのいわば爪の長さが比較的短く、内扉３６の右端と筐体３０の右側板との隙間を塞ぎつつ、当該内扉３６と干渉しないようになされている。
【００８６】
また爪部３０Ｃは、内扉３６から右側へ突出した閂４３の右端部４３Ｂ（図７）の前面よりも僅かに前方に当該爪部３０Ｃの後側面が位置するよう、前後方向の厚さや取付位置等が調整されている。
【００８７】
このため閂４３は、スプリング４４の付勢力により右方向へ付勢されると、係合部としての右端部４３Ｂを内扉３６の右端よりも突出させることにより、当該右端部４３Ｂを被係合体としての爪部３０Ｃと係合させる。これにより閂４３は、内扉３６の回動を禁止して閉塞状態に保つことができる。
【００８８】
また閂４３は、外力が加えられて左方向へ移動されると、右端部４３Ｂを内扉３６の右端よりも左側に位置させることにより、当該右端部４３Ｂと爪部３０Ｃとの係合を解除する。これにより閂４３は、図８に示すように、内扉３６を回動させ開放状態とすることができる。
【００８９】
因みに閂４３は、左右の中央近傍におけるえぐられた部分にレジ係員等の指を掛けさせることにより、左方向へ外力を加えやすいようになされている。また閂４３は、内扉３６の前面に設けられているため、前面扉３３が閉塞されるとレジ係員等による操作が防止されることになる。
【００９０】
このように内扉３６は、閂４３の右端部４３Ｂと爪部３０Ｃとの係合により閉塞状態を維持する一方、当該閂４３を左方向へ移動させることにより右端部４３Ｂと爪部３０Ｃとの係合を解除し回動を可能とするようになされている。
【００９１】
［１−４．動作及び効果］
以上の構成において、レジ釣銭機１の釣銭処理部３における紙幣処理部１２は、紙幣処理部筐体２０の空間２０Ａに対し紙幣カセット２８を着脱可能に構成すると共に、当該紙幣カセット２８内の上側及び下側にそれぞれリジェクト庫２６及び回収庫２７を設けた。
【００９２】
紙幣カセット２８の前面には、当該紙幣カセット２８の前面におけるほぼ全てを覆い軸３４を中心に回動可能な前面扉３３を設けると共に、当該前面扉３３よりも内側に、回収庫２７の前方のみを覆い軸３４を中心に回動可能な内扉３６を設けた。さらに内扉３６には、左右方向に移動可能な閂４３を設けた。
【００９３】
紙幣カセット２８は、紙幣処理部筐体２０の空間２０Ａに装着された状態及び当該空間２０Ａから取り出された状態のいずれにおいても、前面扉開閉鍵３５Ｋにより前面扉開閉錠３５が解錠されるだけで、前面扉３３を開放状態とすることができる（図５、図６）。
【００９４】
すなわち紙幣カセット２８は、前面扉３３を開放状態とするだけで、リジェクト庫２６の前方を開放することができ、レジ係員等に当該リジェクト庫２６内のリジェクト紙幣ＢＬＲを取り出させることができる。
【００９５】
その一方、紙幣カセット２８は、このとき内扉３６により回収庫２７の前方を閉塞している。内扉３６は、スプリング４４の付勢力により閂４３を右方向に付勢して右端部４３Ｂを当該内扉３６の右端から突出させ、当該右端部４３Ｂを爪部３０Ｃと係合させることにより、回動が禁止される。
【００９６】
特に紙幣カセット２８は、紙幣処理部筐体２０の空間２０Ａ内に装着されている場合（図６）、閂４３における当接部としての左端部４３Ａが空間２０Ａの左内壁２０ＡＸに当接し、いわばリミッタとして機能することにより当該閂４３の左方向への移動が抑制される。このため紙幣カセット２８は、閂４３に左方向への外力が加えられたとしても、右端部４３Ｂと爪部３０Ｃとの係合を解除しない。
【００９７】
すなわち紙幣カセット２８は、紙幣処理部筐体２０の空間２０Ａ内に装着されている場合、内扉３６を閉塞状態に保持することができ、レジ係員等に対し、リジェクト紙幣ＢＬＲの取出を許容する一方、回収庫２７内に収納されている回収紙幣ＢＬＣの取出を禁止してその有高を保証し続けることができる。
【００９８】
一方紙幣カセット２８は、紙幣処理部筐体２０の空間２０Ａ内から取り出された場合、閂４３の左端部４３Ａをいずれの部材にも当接させなくなり、いわばリミッタが解除された状態となる。
【００９９】
このとき紙幣カセット２８は、前面扉３３が開放された状態で閂４３に左方向への外力が加えられると、当該閂４３を左方向へ移動させることにより、左端部４３Ａを内扉３６の左端よりも左へ突出させると共に右端部４３Ｂを内扉３６の右端よりも左側へ移動させて（図７）、当該右端部４３Ｂと爪部３０Ｃとの係合を解除する。
【０１００】
この状態で紙幣カセット２８は、内扉３６の上端を前方へ倒すよう外力が加えられると、軸３４を中心に当該内扉３６を回動させ、図８に示すように、筐体３０の前面における下側部分、すなわち回収庫２７の前方を開放する。
【０１０１】
このとき回収庫２７では、前方から内部へアクセスすること、すなわちレジ係員や専門の紙幣回収係員等により、回収紙幣ＢＬＣを把持等して取り出すことや、釣銭用として紙幣収納庫２５へ搬送すべき紙幣ＢＬを収納することが可能となる。
【０１０２】
このように紙幣カセット２８は、紙幣処理部筐体２０の空間２０Ａ内に装着された場合には閂４３の左端部４３Ａを左内壁２０ＡＸに当接させて内扉３６の閉塞状態を保持する一方、当該空間２０Ａ内から取り出された場合には、右端部４３Ｂと爪部３０Ｃとの係合を解除して当該内扉３６を開放させることができる。
【０１０３】
特に紙幣カセット２８は、紙幣処理部筐体２０の空間２０Ａに対する装着又は取出における移動方向が前後方向であるのに対し、閂４３の左端部４３Ａを左内壁２０ＡＸに当接させる際の当接方向を当該前後方向と異なる左方向とした。
【０１０４】
紙幣カセット２８については、例えば空間２０Ａ内における装着位置に関し、移動方向である前後方向にある程度の余裕が設けられ、装着状態における前後の位置精度が低くなってしまうこと、いわゆるがたつきを有することが考えられる。
【０１０５】
しかしながら空間２０Ａでは、直方体状の紙幣カセット２８が前後方向へ移動されると共に装着時における位置を安定させるべく、左内壁２０ＡＸが広い範囲に渡り一様に形成されており、当該紙幣カセット２８の装着時にその左側面を左内壁２０ＡＸに極めて近接させ、又は当接させる。
【０１０６】
このため紙幣カセット２８は、空間２０Ａ内に装着されている限り、前後にある程度変位したとしても、左端部４３Ａを左内壁２０ＡＸに確実に当接させ続けることができ、右端部４３Ｂと爪部３０Ｃとの係合を確実に維持することができる。
【０１０７】
また紙幣カセット２８では、左内壁２０ＡＸを利用することにより、当該紙幣カセット２８が空間２０Ａ内に装着されるだけで閂４３の移動を制限することができるので、錠等を別途設ける必要が無く、構成を極めて簡素化でき低コスト化を図ることができる。
【０１０８】
ところで紙幣カセット２８では、仮に閂４３の右端部４３Ｂ及び爪部３０Ｃの係合箇所を軸３４の近傍のみとした場合、内扉３６の上端近傍に外力が加えられた際に、支点から作用点までの距離よりも支点から力点までの距離の方が長い、いわゆる「てこの原理」により係合部分が破壊されてしまう恐れがあった。
【０１０９】
これに対し実際の紙幣カセット２８では、閂４３の右端部４３Ｂ及び爪部３０Ｃを、軸３４から離れた箇所である内扉３６の上端近傍においても係合させるようにしたことにより、支点から作用点までの距離よりを支点から力点までの距離とほぼ同等とすることができるので、このような破壊を未然に防止することができる。
【０１１０】
また紙幣カセット２８では、閂４３をスプリング４４により右方向へ付勢することにより、内扉３６が閉塞状態にあれば、自動的に右端部４３Ｂを爪部３０Ｃに係合させるようにした。
【０１１１】
これにより紙幣カセット２８は、内扉３６が閉塞状態に有れば外力が加えられない限りその閉塞状態を極力維持することができる。また紙幣カセット２８は、閂４３の左端部４３Ａを積極的に内扉３６の左端へ近づけ、その大部分を収納することができるので、紙幣処理部筐体２０の空間２０Ａ内へ装着される際に当該紙幣処理部筐体２０と衝突することによる損傷を未然に防止することもできる。
【０１１２】
さらに紙幣カセット２８では、閂４３を内扉３６に設けたことにより、回収庫２７内の空間等を占有せずに済むため、当該回収庫２７内における回収紙幣ＢＬＣの収納枚数を維持することができる。
【０１１３】
かくして紙幣処理部１２では、紙幣カセット２８が空間２０Ａに装着されたときには内扉３６の開放を禁止する一方、紙幣カセット２８が空間２０Ａから取り出されたときには当該内扉３６の開放を許可することができる。
【０１１４】
これにより紙幣処理部１２では、紙幣カセット２８が空間２０Ａに装着されている限り、前面扉３３が開放されたとしても回収庫２７内の回収紙幣ＢＬＣの有高を保証し続けることができる。また紙幣処理部１２では、回収紙幣ＢＬＣの取出をリジェクト紙幣ＢＬＲの取出から独立させることができるので、運用上の自由度を高めることができる。
【０１１５】
以上の構成によれば、紙幣処理部１２の紙幣カセット２８は、前面扉３３を閉塞状態としたときにはリジェクト庫２６及び回収庫２７の双方を閉塞する一方、前面扉３３を開放状態としたときには、リジェクト庫２６の前方のみを開放し、回収庫２７の前方を内扉３６により閉塞したままとする。紙幣カセット２８は、紙幣処理部筐体２０の空間２０Ａ内に装着された場合には、閂４３の左端部４３Ａを左内壁２０ＡＸに当接させて内扉３６の閉塞状態を保持する一方、空間２０Ａ内から取り出された場合には、閂４３が左方向へ移動されることにより右端部４３Ｂと爪部３０Ｃとの係合を解除して内扉３６を回動させ、回収庫２７の前方を開放することができる。
【０１１６】
［２．第２の実施の形態］
第２の実施の形態によるレジ釣銭機１０１は、第１の実施の形態によるレジ釣銭機１と比較して、釣銭処理部３の紙幣処理部１２に代わる釣銭処理部１０３の紙幣処理部１１２を有する点が相違するものの、他の点については同様に構成されている。
【０１１７】
紙幣処理部１１２は、紙幣処理部１２と比較して、紙幣カセット２８に代わる紙幣カセット１２８を有する点が相違するものの、他の点については同様に構成されている。
【０１１８】
［２−１．紙幣カセットの構成］
紙幣カセット１２８は、紙幣カセット２８と比較して、筐体３０、仕切板３２及び内扉３６に代えて筐体１３０、仕切板１３２及び内扉１３６を有する点が相違するものの、他の点については同様に構成されている。
【０１１９】
内扉１３６は、図６と対応する図９に示すように、第１の実施の形態による内扉３６と異なり、筐体１３０における左右それぞれの側板に対し隙間を殆ど空けないように設けられている。
【０１２０】
因みに図９は、紙幣カセット１２８が紙幣処理部筐体２０の空間２０Ａに装着された状態を表している。また図９では、説明の都合上、前面扉３３を省略している。
【０１２１】
内扉１３６の前面には、移動ガイド４１及び４２、閂４３並びにスプリング４４に代わる移動ガイド１４１及び１４２、閂１４３並びにスプリング１４４が設けられている。
【０１２２】
移動ガイド１４１及び１４２、閂１４３並びにスプリング１４４は、いずれも内扉３６の前面に設けられた移動ガイド４１及び４２、閂４３並びにスプリング４４を前面から見て反時計回りに９０度回転させると共に、内扉１３６における上下方向の長さに合わせてそれぞれの上下方向の長さを短縮させたような構成となっている。
【０１２３】
すなわち移動ガイド１４１及び１４２は、いずれも全体として左右方向に長く上下方向に短い板状部材を中心に構成され、その左右両辺から後方へ向けて前後方向に短い側板がそれぞれ延設されており、当該側板の後端において内扉１３６の前面に固定されている。
【０１２４】
また移動ガイド１４１及び１４２は、上下に所定の間隔を空け、左右方向の位置を互いに揃えるように配置されている。すなわち移動ガイド１４１及び１４２は、内扉１３６の前面において断面が長方形状の移動孔をそれぞれ上下方向に貫通させ、且つ双方の移動孔を上下方向に連通させている。
【０１２５】
移動ガイド１４１及び１４２の移動孔には、閂１４３が挿通されている。閂１４３は、第１の実施の形態における閂４３と異なり、全体として上下方向に長い直方体状に構成されている。
【０１２６】
また閂１４３は、上下方向の断面形状が移動ガイド１４１及び１４２により形成された移動孔よりも一回り小さくなっている。すなわち閂１４３は、当該移動ガイド１４１及び１４２の制限により、内扉１３６に対し主に上下方向に移動できるようになされている。
【０１２７】
さらに閂１４３は、上下方向の長さが内扉１３６よりも長くなっている。このため閂１４３は、下端部１４３Ａを内扉１３６の下端近傍に位置させた場合、上端部１４３Ｂを内扉１３６の上端よりも上方へ突出させる。
【０１２８】
また閂１４３は、図７と対応する図１０に示すように、上端部１４３Ｂを内扉１３６の上端近傍に位置させた場合、下端部１４３Ａを筐体１３０の下側面よりも下方へ突出させる。
【０１２９】
因みに閂１４３は、移動ガイド１４１及び１４２により上下方向への移動範囲が制限されており、最も上方向へ移動された場合、下端部１４３Ａを内扉１３６の下端から僅かに突出させた状態（図９）となり、最も下方向へ移動された場合、上端部１４３Ｂを内扉１３６の上端よりも僅かに下方に位置させた状態（図１０）となる。
【０１３０】
また閂１４３と内扉１３６との間には、第１の実施の形態と同様、コイルばねでなるスプリング１４４が設けられている。スプリング１４４は、自然状態から伸長された状態で、一端が閂１４３に取り付けられると共に他端が内扉１３６に取り付けられており、内扉１３６に対し閂１４３を上方向へ付勢している。
【０１３１】
すなわち閂１４３は、スプリング１４４の付勢力により、外部から力が加えられていないときには最も上側に位置し（図９）、下方向への外力が加えられている間のみ一時的に下側に移動するものの（図１０）、この外力が加えられなくなると上方向へ移動して再び最も上側に位置する（図９）。
【０１３２】
一方、仕切板１３２の前端における左右中央には、下方向へ向けて、第１の実施の形態における爪部３０Ｃと対応する爪部１３２Ｃが立設されている。爪部１３２Ｃは、上下の長さ、すなわち仕切板１３２からのいわば爪の長さが比較的短く、仕切板１３２の前端における下面と内扉１３６の上端との間に収まるよう、すなわち内扉１３６の上端と干渉しないようになされている。
【０１３３】
また爪部１３２Ｃは、内扉１３６の上端から上方へ突出した閂１４３の上端部１４３Ｂ（図９）の前面よりも僅かに前方に当該爪部１３２Ｃの後側面が位置するよう、前後方向の厚さや取付位置等が調整されている。
【０１３４】
このため閂１４３は、スプリング１４４の付勢力により上方向へ付勢されると、係合部としての上端部１４３Ｂを内扉１３６の上端よりも上方へ突出させることにより、当該上端部１４３Ｂを被係合体としての爪部１３２Ｃと係合させる。これにより閂１４３は、第１の実施の形態と同様、内扉１３６の回動を禁止して閉塞状態に保つことができる。
【０１３５】
また閂１４３は、外力が加えられて下方向へ移動されると、上端部１４３Ｂを内扉１３６の上端よりも下方に位置させることにより、当該上端部１４３Ｂと爪部１３２Ｃとの係合を解除する。これにより閂１４３は、第１の実施の形態（図８）と同様に、内扉１３６を回動させ開放状態とすることができる。
【０１３６】
このように内扉１３６は、閂１４３の上端部１４３Ｂと爪部１３２Ｃとの係合により閉塞状態を維持する一方、当該閂１４３を下方向へ移動させることにより上端部１４３Ｂと爪部１３２Ｃとの係合を解除し回動を可能とするようになされている。
【０１３７】
［２−２．動作及び効果］
以上の構成において、第２の実施の形態による紙幣カセット１２８は、内扉１３６の前面に上下方向に移動可能な閂１４３を設けた。
【０１３８】
内扉１３６は、スプリング１４４の付勢力により閂１４３を上方向に付勢して上端部１４３Ｂを当該内扉１３６の上端から突出させ、当該上端部１４３Ｂを爪部１３２Ｃと係合させることにより、回動が禁止される。
【０１３９】
特に紙幣カセット１２８は、紙幣処理部筐体２０の空間２０Ａ内に装着されている場合（図９）、閂１４３における当接部としての下端部１４３Ａが空間２０Ａの下内壁２０ＡＹに当接し、いわばリミッタとして機能することにより当該閂１４３の下方向への移動が抑制される。このため紙幣カセット１２８は、閂１４３に下方向への外力が加えられたとしても、上端部１４３Ｂと爪部１３２Ｃとの係合を解除しない。
【０１４０】
すなわち紙幣カセット１２８は、紙幣処理部筐体２０の空間２０Ａ内に装着されている場合、第１の実施の形態と同様に内扉１３６を閉塞状態に保持することができ、レジ係員等に対し、リジェクト紙幣ＢＬＲの取出を許容する一方、回収庫２７内に収納されている回収紙幣ＢＬＣの取出を禁止してその有高を保証し続けることができる。
【０１４１】
一方紙幣カセット１２８は、紙幣処理部筐体２０の空間２０Ａ内から取り出された場合、閂１４３の下端部１４３Ａをいずれの部材にも当接させなくなり、いわばリミッタが解除された状態となる。
【０１４２】
このとき紙幣カセット１２８は、閂１４３に下方向への外力が加えられると、当該閂１４３を下方向へ移動させることにより、下端部１４３Ａを筐体１３０の下側面よりも下方へ突出させると共に上端部１４３Ｂを内扉１３６の上端よりも下方へ移動させて（図１０）、当該上端部１４３Ｂと爪部１３２Ｃとの係合を解除する。
【０１４３】
この状態で紙幣カセット１２８は、内扉１３６の上端を前方へ倒すよう外力が加えられると、第１の実施の形態と同様に当該内扉１３６を前方へ回動させ、回収庫２７の前方を開放する。
【０１４４】
このとき回収庫２７では、前方から内部へアクセスすること、すなわちレジ係員や専門の紙幣回収係員等により、回収紙幣ＢＬＣを把持等して取り出すことや、釣銭用として紙幣収納庫２５へ搬送すべき紙幣ＢＬを収納することが可能となる。
【０１４５】
このように紙幣カセット１２８は、紙幣処理部筐体２０の空間２０Ａ内に装着された場合には閂１４３の下端部１４３Ａを下内壁２０ＡＹに当接させて内扉１３６の閉塞状態を保持する一方、当該空間２０Ａ内から取り出された場合には、上端部１４３Ｂと爪部１３２Ｃとの係合を解除して当該内扉１３６を開放させることができる。
【０１４６】
また紙幣カセット１２８は、紙幣処理部筐体２０の空間２０Ａに対する装着又は取出における移動方向が前後方向であるのに対し、閂１４３の下端部１４３Ａを下内壁２０ＡＹに当接させる際の当接方向を当該前後方向と異なる下方向とした。
【０１４７】
このため紙幣カセット１２８は、空間２０Ａ内に装着されている限り、前後にある程度変位したとしても、下端部１４３Ａを下内壁２０ＡＹに確実に当接させ続けることができ、第１の実施の形態と同様に内扉１３６を確実に閉塞状態に維持することができる。
【０１４８】
さらに紙幣カセット１２８では、閂１４３の上端部１４３Ｂ及び爪部１３２Ｃを、軸３４（図５）から離れた箇所である内扉１３６の上端近傍において係合させるようにしたことにより、第１の実施の形態と同様、支点から作用点までの距離よりを支点から力点までの距離とほぼ同等とすることができるので、てこの原理を利用した破壊を未然に防止することができる。
【０１４９】
その他の点においても、第２の実施の形態による紙幣カセット１２８は、第１の実施の形態による紙幣カセット２８と同様の作用効果を奏し得る。
【０１５０】
以上の構成によれば、第２の実施の形態による紙幣カセット１２８は、紙幣処理部筐体２０の空間２０Ａ内に装着された場合には、閂１４３の下端部１４３Ａを下内壁２０ＡＹに当接させ上端部１４３Ｂと爪部１３２Ｃとの係合を維持して内扉１３６の閉塞状態を保持する一方、空間２０Ａ内から取り出された場合には、閂１４３が下方向へ移動されることにより上端部１４３Ｂと爪部１３２Ｃとの係合を解除して内扉１３６を回動させ、回収庫２７の前方を開放することができる。
【０１５１】
［３．第３の実施の形態］
第３の実施の形態によるレジ釣銭機２０１は、第１の実施の形態によるレジ釣銭機１と比較して、釣銭処理部３の紙幣処理部１２に代わる釣銭処理部２０３の紙幣処理部２１２を有する点が相違するものの、他の点については同様に構成されている。
【０１５２】
紙幣処理部２１２は、紙幣処理部１２と比較して、紙幣カセット２８に代わる紙幣カセット２２８を有する点が相違するものの、他の点については同様に構成されている。
【０１５３】
［３−１．紙幣カセットの構成］
紙幣カセット１２８は、紙幣カセット２８と比較して、筐体３０、仕切板３２及び内扉３６に代えて筐体２３０、仕切板２３２及び内扉２３６を有する点が相違するものの、他の点については同様に構成されている。
【０１５４】
内扉２３６は、図９と対応する図１１に示すように、第２の実施の形態による内扉１３６と同様、筐体２３０における左右それぞれの側板に対し隙間を殆ど空けないように設けられている。
【０１５５】
内扉２３６の前面における左上方には、移動ガイド１４１及び１４２、閂１４３並びにスプリング１４４に代わる回動軸２４１、レバー２４３並びにスプリング２４４が設けられている。
【０１５６】
内扉２３６の前面における左上方には、前後方向に貫通するように、丸孔状の孔部２３６Ａが穿設されている。この孔部２３６Ａには、短い円柱状の回動軸２４１が挿通されている。
【０１５７】
回動軸２４１は、その直径が孔部２３６Ａの孔径よりも僅かに小さくなっており、内扉２３６の前面とほぼ直交する状態を維持したまま、当該内扉２３６に対し自在に回動し得るようになされている。また回動軸２４１は、図示しない抜け止め部により、内扉２３６に対し前後方向へ抜け落ちないようになされている。
【０１５８】
回動軸２４１の前側には、薄板状のレバー２４３が取り付けられている。レバー２４３は、全体として、内扉２３６の前面とほぼ平行な平板状に形成されており、回動軸２４１の軸芯に中心軸をほぼ一致させた円板状の円板部２４３Ｄと、当該円板状部分の外周部から外方へ向けて延設された細長い直方体状の直方体部２４３Ｌとを有している。
【０１５９】
図１１に示したように、レバー２４３は、直方体部２４３Ｌを上方へ向けたとき、その先端部２４３Ｂを内扉２３６の上端よりも上方へ突出させる。またこのときレバー２４３の直方体部２４３Ｌにおける端側部２４３Ａは、内扉２３６の左端よりも僅かに内側（すなわち右側）に位置している。
【０１６０】
一方レバー２４３は、図１０と対応する図１２に示すように、回動軸２４１を中心として、内扉２３６の前面に対し反時計回りＲ２へ約９０度回動させて直方体部２４３Ｌを左方向へ向けた場合、先端部２４３Ｂを内扉２３６の左端よりも外方へ突出させる。
【０１６１】
因みにレバー２４３の回動範囲は、直方体部２４３Ｌが回動軸２４１から上方向へ延びた状態（図１１）と左方向へ延びた状態（図１２）との間における、約９０度の範囲に規制されている。
【０１６２】
さらにレバー２４３と内扉２３６との間には、ねじりコイルばね（トーションばね）でなるスプリング２４４が設けられている。スプリング２４４は、自然状態からねじられた状態で、一端がレバー２４３に取り付けられると共に他端が内扉２３６に取り付けられており、レバー２４３を内扉２３６の前面に対し時計回りＲ１に付勢している。
【０１６３】
すなわちレバー２４３は、スプリング２４４の付勢力により、外部から力が加えられていないときには直方体部２４３Ｌを上方向へ向け（図１１）、反時計回りＲ２に外力が加えられている間のみ一時的に直方体部２４３Ｌを左方向へ向ける状態にまで回動するものの（図１２）、この外力が加えられなくなると時計回りに回動して再びに位置する（図１１）。
【０１６４】
一方、仕切板１３２の前端における左端近傍には、下方向へ向けて、第２の実施の形態における爪部１３２Ｃと対応する爪部２３２Ｃが立設されている。爪部２３２Ｃは、第２の実施の形態における爪部１３２Ｃと比較して、仕切板２３２に対する左右方向の設置箇所が異なっている点以外はほぼ同様に構成されている。
【０１６５】
このためレバー２４３は、スプリング２４４の付勢力により時計回りＲ１に付勢されると、係合部としての先端部２４３Ｂを内扉１３６の上端よりも上方へ突出させ、当該先端部２４３Ｂを被係合体としての爪部２３２Ｃと係合させる。これによりレバー２４３は、第２の実施の形態と同様、内扉２３６の回動を禁止して閉塞状態に保つことができる。
【０１６６】
またレバー２４３は、外力が加えられて反時計回りＲ２に回動されると、先端部２４３Ｂを内扉２３６の上端よりも下方に位置させ、当該内扉２３６の左端よりも左方へ突出させることにより、当該先端部２４３Ｂと爪部２３２Ｃとの係合を解除する。これによりレバー２４３は、第１の実施の形態（図８）と同様に、内扉２３６を回動させ開放状態とすることができる。
【０１６７】
このように内扉２３６は、レバー２４３の先端部２４３Ｂと爪部２３２Ｃとの係合により閉塞状態を維持する一方、当該レバー２４３を反時計回りＲ２に回動させることにより先端部２４３Ｂと爪部２３２Ｃとの係合を解除し回動を可能とするようになされている。
【０１６８】
［３−２．動作及び効果］
以上の構成において、第３の実施の形態による紙幣カセット２２８は、内扉２３６の前面に回動可能なレバー２４３を設けた。
【０１６９】
内扉２３６は、スプリング２４４の付勢力によりレバー２４３の直方体部２４３Ｌを上方向へ向けて先端部２４３Ｂを当該内扉２３６の上端から突出させ、当該先端部２４３Ｂを爪部２３２Ｃと係合させることにより、回動が禁止される。
【０１７０】
特に紙幣カセット２２８は、紙幣処理部筐体２０の空間２０Ａ内に装着されている場合（図１１）、レバー２４３における当接部としての端側部２４３Ａが空間２０Ａの左内壁２０ＡＸに近接している。
【０１７１】
このため紙幣カセット２２８は、空間２０Ａへの装着状態においてレバー２４３に反時計回りＲ２の外力が加えられたとしても、端側部２４３Ａを左内壁２０ＡＸに当接させることにより、いわばリミッタとして機能させ当該レバー２４３の回動が抑制される。すなわち紙幣カセット２２８は、レバー２４３に反時計回りＲ２の外力が加えられたとしても、回動することなく、先端部２４３Ｂと爪部２３２Ｃとの係合を解除しない。
【０１７２】
従って紙幣カセット２２８は、紙幣処理部筐体２０の空間２０Ａ内に装着されている場合、第１及び第２の実施の形態と同様に内扉２３６を閉塞状態に保持することができ、レジ係員等に対し、リジェクト紙幣ＢＬＲの取出を許容する一方、回収庫２７内に収納されている回収紙幣ＢＬＣの取出を禁止してその有高を保証し続けることができる。
【０１７３】
一方紙幣カセット２２８は、紙幣処理部筐体２０の空間２０Ａ内から取り出された場合、レバー２４３の端側部２４３Ａをいずれの部材にも当接させなくなり、いわばリミッタが解除された状態となる。
【０１７４】
このとき紙幣カセット２２８は、レバー２４３に反時計回りＲ２の外力が加えられると、当該レバー２４３を反時計回りＲ２に回動させることにより、直方体部２４３Ｌを左方向へ向けると共に先端部２４３Ｂを内扉２３６の左端よりも外方へ突出させる位置まで回動させて（図１２）、当該先端部２４３Ｂと爪部２３２Ｃとの係合を解除する。
【０１７５】
この状態で紙幣カセット２２８は、内扉２３６の上端を前方へ倒すよう外力が加えられると、第１及び第２の実施の形態と同様に、当該内扉２３６を前方へ回動させて回収庫２７の前方を開放する。
【０１７６】
このとき回収庫２７では、前方から内部へアクセスすること、すなわちレジ係員や専門の紙幣回収係員等により、回収紙幣ＢＬＣを把持等して取り出すことや、釣銭用として紙幣収納庫２５へ搬送すべき紙幣ＢＬを収納することが可能となる。
【０１７７】
このように紙幣カセット２２８は、紙幣処理部筐体２０の空間２０Ａ内に装着された場合にはレバー２４３の端側部２４３Ａを左内壁２０ＡＸに当接させて内扉２３６の閉塞状態を保持する一方、当該空間２０Ａ内から取り出された場合には、レバー２４３の回動により先端部２４３Ｂと爪部２３２Ｃとの係合を解除して当該内扉２３６を開放させることができる。
【０１７８】
また紙幣カセット２２８は、紙幣処理部筐体２０の空間２０Ａに対する装着又は取出における移動方向が前後方向であるのに対し、レバー２４３の端側部２４３Ａを左内壁２０ＡＸに当接させる際の当接方向を、第１の実施の形態と同様、当該前後方向と異なる左方向とした。
【０１７９】
このため紙幣カセット２２８は、空間２０Ａ内に装着されている限り、前後にある程度変位したとしても、端側部２４３Ａを左内壁２０ＡＸに確実に当接させ続けることができ、第１の実施の形態と同様に内扉２３６を確実に閉塞状態に維持することができる。
【０１８０】
さらに紙幣カセット２２８では、レバー２４３の先端部２４３Ｂ及び爪部２３２Ｃを、軸３４（図５）から離れた箇所である内扉２３６の上端近傍において係合させるようにしたことにより、第１の実施の形態と同様、支点から作用点までの距離よりを支点から力点までの距離とほぼ同等とすることができるので、てこの原理を利用した破壊を未然に防止することができる。
【０１８１】
その他の点においても、第３の実施の形態による紙幣カセット２２８は、第１の実施の形態のよる紙幣カセット２８と同様の作用効果を奏し得る。
【０１８２】
以上の構成によれば、第３の実施の形態による紙幣カセット２２８は、紙幣処理部筐体２０の空間２０Ａ内に装着された場合には、レバー２４３の端側部２４３Ａを左内壁２０ＡＸに当接させ先端部２４３Ｂと爪部２３２Ｃとの係合を維持して内扉２３６の閉塞状態を保持する一方、空間２０Ａ内から取り出された場合には、レバー２４３が反時計回りに回動されることにより先端部２４３Ｂと爪部２３２Ｃとの係合を解除して内扉２３６を回動させ、回収庫２７の前方を開放することができる。
【０１８３】
［４．他の実施の形態］
なお上述した第１の実施の形態においては、閂４３を左右方向へ移動可能に構成し、右端部４３Ｂを爪部３０Ｃと係合させ、左端部４３Ａを空間２０Ａの左内壁２０ＡＸに当接させるようにした場合について述べた。また第２の実施の形態においては、閂１４３を上下方向へ移動可能に構成し、上端部１４３Ｂを爪部１３２Ｃと係合させ、下端部１４３Ａを空間２０Ａの下内壁２０ＡＹに当接させるようにした場合について述べた。
【０１８４】
しかしながら本発明はこれらに限らず、例えば任意の方向に沿って移動する閂を設け、当該閂の一端又は他端のいずれか一方を所定の爪状の部材と係合させ、他方を空間２０Ａにおける上下左右いずれかの内壁に当接させるようにしても良い。
【０１８５】
また上述した第１の実施の形態においては、閂４３の一部分である右端部４３Ｂを筐体３０の一部である爪部３０Ｃと係合させると共に、当該閂４３の一部分である左端部４３Ａを空間２０Ａの左内壁２０ＡＸに当接させるようにした場合について述べた。さらに第２の実施の形態においては、閂１４３の一部分である上端部１４３Ｂを仕切板１３２の一部である爪部１３２Ｃと係合させるようにした場合について述べた。
【０１８６】
しかしながら本発明はこれに限らず、例えば閂４３に代えて、爪部３０Ｃと係合させる係合部品と空間２０Ａの左内壁２０ＡＸに当接させる当接部品とを別体とし、且つ両者を所定のリンク機構等により互いに連動させるよう接続するようにしても良い。この場合、当接部品が空間２０Ａの左内壁２０ＡＸに当接することにより、係合部品が爪部３０Ｃとの係合を維持すれば良い。第２の実施の形態についても同様である。
【０１８７】
さらに上述した第３の実施の形態においては、レバー２４３を内扉２３６の左上近傍に設け、直方体部２４３Ｌを上方向へ向けたときに、先端部２４３Ｂを爪部２３２Ｃと係合させると共に端側部２４３Ａを紙幣処理部筐体２０の左内壁２０ＡＸに近接させて回動を抑止するようにした場合について述べた。
【０１８８】
しかしながら本発明はこれに限らず、例えばレバー２４３を内扉２３６の右下近傍に設けると共に、第１の実施の形態と同様に筐体３０の左側板における前端近傍に爪部３０Ｃを設け、直方体部２４３Ｌを右方向へ向けたときに、先端部２４３Ｂを爪部３０Ｃと係合させると共に端側部を紙幣処理部筐体２０の下内壁２０ＡＹに近接させて回動を抑止し、内扉２３６を閉塞状態に維持するようにしても良い。
【０１８９】
すなわち、レバーが爪部と係合するときに向ける方向としてはいずれであっても良く、また爪部についても筐体３０側において当該レバーと係合する箇所であればいずれであっても良い。要は、筐体２３０や仕切板２３２等に設けた爪部と当該レバーと係合した状態で紙幣カセット２２８が空間２０Ａに装着されたときに、当該レバーの一部が空間２０Ａにおけるいずれかの内壁に当接してその回動が制限される一方、紙幣カセット２２８が空間２０Ａから取り出された際に当該レバーを回動させ爪部との係合を解除できれば良い。
【０１９０】
さらに上述した実施の形態においては、紙幣カセット２８内において、上方にリジェクト庫２６を設けると共に下方に回収庫２７を設けるようにした場合について述べた。
【０１９１】
しかしながら本発明はこれに限らず、例えば上方に回収庫２７を設けると共に下方にリジェクト庫２６を設けるようにしても良い。この場合、内扉３６については、回収庫２７のみを閉塞しリジェクト庫２６を開放したままとするような箇所に設ければ良い。
【０１９２】
さらに上述した第１の実施の形態においては、筐体３０の右側板における前方に爪部３０Ｃを設け、閂４３の右端部４３Ｂを当該爪部３０Ｃに係合させることにより内扉３６を閉塞状態に維持するようにした場合について述べた。
【０１９３】
しかしながら本発明はこれに限らず、例えば筐体３０の右側板における前方に係合用の溝を形成して閂４３の右端部４３Ｂを当該溝と係合させる等、筐体３０側の種々の部材と右端部４３Ｂとを係合させることにより内扉３６を閉塞状態に維持するようにしても良い。第２及び第３の実施の形態においても、例えば仕切板１３２及び２３２に溝を形成するようにしても良い。
【０１９４】
さらに上述した実施の形態においては、紙幣カセット２８の前面扉３３及び内扉３６をいずれも筐体３０の下方に設けた軸３４を中心に回動させるようにした場合について述べた。
【０１９５】
しかしながら本発明はこれに限らず、例えば前面扉３３の回動軸を筐体３０の上側板に設け、或いは前面扉３３の回動軸を筐体３０の左側板に設けると共に内扉３６の回動軸を筐体３０の右側板に設ける等、任意の箇所に各扉の回動軸を設けるようにしても良い。
【０１９６】
さらに上述した第１の実施の形態においては、スプリング４４により内扉３６に対し閂４３を右方向へ付勢するようにした場合について述べた。
【０１９７】
しかしながら本発明はこれに限らず、例えば板ばねやゴムなどの種々の付勢手段により内扉３６に対し閂４３を右方向へ付勢するようにしても良く、或いはスプリング４４を省略するようにしても良い。第２及び第３の実施の形態におけるスプリング１４４及び２４４についても同様である。
【０１９８】
さらに上述した第１の実施の形態においては、紙幣カセット２８に搬送部３０Ａを１箇所のみ設けると共に仕切板３２を回動可能に構成し、当該仕切板３２を回動してリジェクト庫２６又は回収庫２７のいずれへも紙幣ＢＬを搬送できるようにした場合について述べた。
【０１９９】
しかしながら本発明はこれに限らず、例えば仕切板３２を固定式にすると共に、２個の搬送部３０Ａをリジェクト庫２６及び回収庫２７それぞれに対応する箇所に設けるようにしても良い。第２及び第３の実施の形態における仕切板１３２及び２３２についても同様である。
【０２００】
さらに上述した実施の形態においては、回収庫２７に収納した紙幣ＢＬを搬送部２３へ順次受け渡すことができるようにした場合について述べた。
【０２０１】
しかしながら本発明はこれに限らず、例えば回収庫２７からは紙幣ＢＬを搬送部２３へ受け渡さないようにし、紙幣収納庫２５に収納する釣銭用の紙幣ＢＬについては紙幣入出金部２２から搬送部２３を介して順次搬送するようにしても良い。
【０２０２】
さらに上述した実施の形態においては、紙幣収納庫２５を３個設けるようにした場合について述べた。
【０２０３】
しかしながら本発明はこれに限らず、紙幣収納庫２５を２個や４個以上などの任意の数だけ設けるようにしても良い。紙幣収納庫２５の数については、紙幣処理部１２の大きさや取り扱う紙幣ＢＬの種類の数等に応じて適宜定めれば良い。
【０２０４】
さらに上述した実施の形態においては、紙幣カセット２８の前面扉３３側に前面扉開閉錠３５を設けるようにした場合について述べた。
【０２０５】
しかしながら本発明はこれに限らず、例えば紙幣カセット２８の筐体３０側に前面扉開閉錠３５を設けるようにしても良い。この場合、紙幣カセット２８が紙幣処理部筐体２０側の空間２０Ａ内に装着された状態及び取り出された状態のいずれにおいても前面扉３３の施錠又は解錠をできることが望ましい。さらには、前面扉開閉錠３５を省略するようにしても良い。
【０２０６】
さらに上述した実施の形態においては、紙幣処理部筐体２０側にカセット取出錠２９を設けるようにした場合について述べた。
【０２０７】
しかしながら本発明はこれに限らず、例えば紙幣カセット２８側にカセット取出錠２９を設けるようにしても良く、要はカセット取出鍵２９Ｋを保有する者など特定の者のみが紙幣カセット２８を取り出し得るようにすれば良い。さらには、カセット取出錠２９を省略するようにしても良い。
【０２０８】
さらに上述した実施の形態においては、小売店舗の精算所（レジ）等に設置されるレジ釣銭機１の紙幣処理部１２に本発明を適用するようにした場合について述べた。
【０２０９】
しかしながら本発明はこれに限らず、例えば銀行内において窓口業務を担当する銀行員が使用する窓口端末（いわゆる自動テラー現金自動預払機）等、紙幣の授受に関する業務に供する種々の装置に適用するようにしても良い。
【０２１０】
さらに上述した実施の形態においては、媒体としての紙幣ＢＬを内部に収納する紙幣カセット２８に本発明を適用するようにした場合について述べた。
【０２１１】
しかしながら本発明はこれに限らず、例えば商品券や金券、入場券等のような薄い紙状の媒体を内部に収納する種々のカセットに適用するようにしても良い。
【０２１２】
さらに上述した第１の実施の形態においては、筐体としての筐体３０と、回収庫としての回収庫２７と、リジェクト庫としてのリジェクト庫２６と、外扉としての前面扉３３と、内扉としての内扉３６と、係止体としての閂４３とによって媒体収納装置としての紙幣カセット２８を構成する場合について述べた。
【０２１３】
しかしながら本発明はこれに限らず、その他種々の構成でなる筐体と、回収庫と、リジェクト庫と、外扉と、内扉と、係止体とによって媒体収納装置を構成するようにしても良い。
【０２１４】
さらに上述した第１の実施の形態においては、本体としての紙幣処理部筐体２０と、空間としての空間２０Ｃと、筐体としての筐体３０と、回収庫としての回収庫２７と、リジェクト庫としてのリジェクト庫２６と、外扉としての前面扉３３と、内扉としての内扉３６と、係止体としての閂４３とによって媒体入出装置としての紙幣処理部１２を構成する場合について述べた。
【０２１５】
しかしながら本発明はこれに限らず、その他種々の構成でなる本体と、空間と、筐体と、回収庫と、リジェクト庫と、外扉と、内扉と、係止体とによって媒体入出装置を構成するようにしても良い。
【産業上の利用可能性】
【０２１６】
本発明は、紙幣等の媒体を取り外し可能なカセット内に収納すると共に、当該カセット内にリジェクト庫２６及び回収庫２７のように互いに収納する媒体に対する制約が異なるような種々の装置でも利用できる。
【符号の説明】
【０２１７】
１、１０１、２０１……レジ釣銭機、３、１０３、２０３……釣銭処理部、１２、１１２、２１２……紙幣処理部、２０……紙幣処理部筐体、２０Ａ……空間、２０ＡＸ……左内壁、２１……制御部、２２……紙幣入出金部、２３……搬送部、２４……紙幣鑑別部、２５、２５Ａ、２５Ｂ、２５Ｃ……紙幣収納庫、２６……リジェクト庫、２７……回収庫、２８、１２８、２２８……紙幣カセット、２９……カセット取出錠、３０、１３０、２３０……筐体、３０Ｃ、１３２Ｃ、２３２Ｃ……爪部、３１……空間、３２、１３２、２３２……仕切板、３３……前面扉、３４……軸、３５……前面扉開閉錠、３６、１３６、２３６……内扉、４３、１４３……閂、４３Ａ……左端部、４３Ｂ……右端部、４４、１４４、２４４……スプリング、１４３Ａ……下端部、１４３Ｂ……上端部、２４３……レバー、２４３Ａ……端側部、２４３Ｂ……先端部、ＢＬ……紙幣、ＢＬＲ……リジェクト紙幣、ＢＬＣ……回収紙幣。
【図１】
0005834752.tif 000002
【図２】
0005834752.tif 000003
【図３】
0005834752.tif 000004
【図４】
0005834752.tif 000005
【図５】
0005834752.tif 000006
【図６】
0005834752.tif 000007
【図７】
0005834752.tif 000008
【図８】
0005834752.tif 000009
【図９】
0005834752.tif 000010
【図１０】
0005834752.tif 000011
【図１１】
0005834752.tif 000012
【図１２】
0005834752.tif 000013
【図１３】
0005834752.tif 000014